(57)【要約】【課題】  複数の高周波信号のうち、測定しない高周波信号の影響を除去する。【解決手段】  第１の周波数帯のノイズレベルが低い高周波信号と、第１の周波数帯と異なる周波数帯である第２の周波数帯のノイズレベルが高い高周波信号とを、増幅する増幅器に設けられたモニタ回路３４が、第１及び第２の周波数帯の高周波信号が供給される１分岐器３６と、第２の周波数帯の高周波信号を除去するローパスフィルタ４０と、モニタ端子４２とを有している。切換スイッチ３９が、ローパスフィルタ４０を通過した１分岐器３６の分岐信号をモニタ端子４２に供給する状態と、１分岐器３６の分岐信号をそのままモニタ端子４２に供給する状態とに切換える。【選択図】        図１
2007195123.tif 000002
【特許請求の範囲】
【請求項１】
第１の周波数帯のノイズレベルが低い高周波信号と、第１の周波数帯と異なる周波数帯である第２の周波数帯のノイズレベルが高い高周波信号とを、増幅する増幅器に設けられたモニタ回路であって、
第１及び第２の周波数帯の高周波信号が供給される分岐手段と、
第２の周波数帯の高周波信号を除去する周波数特性を有するフィルタと、
モニタ端子と、
前記フィルタを通過した前記分岐手段の分岐信号を前記モニタ端子に供給する第１の状態と、前記分岐手段の分岐信号をそのまま前記モニタ端子に供給する第２の状態とのうち、選択された状態に切換える切換手段とを、
具備するモニタ回路。
【請求項２】
請求項１記載のモニタ回路において、前記フィルタの出力側を前記モニタ端子に接続し、前記切換手段は、前記分岐手段の分岐信号を、第１の状態において前記フィルタに供給し、第２の状態において前記モニタ端子に供給するモニタ回路。
【請求項３】
請求項１記載のモニタ回路において、第１の周波数帯の高周波信号がＵＨＦ帯及びＶＨＦ帯のテレビジョン放送信号のうち少なくとも一方であり、第２の周波数帯の高周波信号が衛星放送及び衛星通信信号の中間周波信号の少なくとも一方であるモニタ回路。
【請求項４】
請求項３記載のモニタ回路において、前記フィルタが、第１の周波数帯が通過帯域にあり、第２の周波数帯が遮断帯域にあるローパスフィルタであるモニタ回路。
【発明の詳細な説明】
【技術分野】
【０００１】
本発明は、増幅器に設けられるモニタ回路に関し、特に異なる周波数帯の複数の高周波信号を増幅する増幅器のモニタ回路に関する。
【背景技術】
【０００２】
モニタ回路を備えた増幅器は、例えば共同受信システムの中継増幅器に使用されることがある。この中継増幅器の一例が特許文献１に開示されている。特許文献１の中継増幅器では、各チャンネルのテレビジョン放送信号を増幅するアンプの出力側に分岐器を設けてある。分岐器の出力信号は、中継増幅器の出力として中継増幅器の出力端子に供給されている。分岐器の分岐信号は、中継増幅器のモニタ端子に供給され、このモニタ端子からスペクトラムアナライザに供給される。分岐器の分岐端子とモニタ端子との間に、切換スイッチと擬似伝送線路とが設けられている。擬似伝送網は、各チャンネルの分岐信号の周波数特性と逆の周波数特性を持つものである。切換スイッチは、この擬似伝送網を分岐端子とモニタ端子との間に接続する状態と、分岐信号をそのままモニタ端子に供給する状態とに切換えられる。
【０００３】
【特許文献１】特開平８−１８９４４号公報
【発明の開示】
【発明が解決しようとする課題】
【０００４】
この中継増幅器では、擬似伝送網をモニタ端子と分岐器の分岐端子との間に接続した状態では、例えば周波数が高くなるほどレベルが大きくなるチルト特性を持つ各チャンネルの分岐信号を、擬似伝送網を通過させることによってチルト特性を打ち消した状態とすることができ、各チャンネルの信号のレベル偏差や信号のばらつきをスペクトルアナライザによって確認することができる。
【０００５】
ところで、中継増幅器は、異なる周波数帯の高周波信号を増幅することがある。例えばＵＨＦ帯及びＶＨＦ帯のテレビジョン放送信号と、衛星放送及び衛星通信の中間周波信号（アンテナで受信された衛星放送信号及び衛星通信信号をアンテナに付属するコンバータによって１ＧＨｚ帯の中間周波信号に周波数変換したもの）とを増幅することがある。この場合、ＵＨＦ帯及びＶＨＦ帯のテレビジョン放送信号は、それが含むノイズレベルが低いが、衛星放送及び衛星通信の中間周波信号はそれが含むノイズレベルが高く、また総合電力が高い。従って、例えばＵＨＦ帯及びＶＨＦ帯のテレビジョン放送信号を測定するために、測定器をモニタ端子に接続した場合、測定器には衛星放送及び衛星通信の中間周波信号も供給されており、その影響によって測定器が過入力状態となり、ＵＨＦ帯及びＶＨＦ帯のテレビジョン放送信号を正確に測定することができなくなる。
【０００６】
本発明は、複数の高周波信号のうち、測定しない高周波信号の影響を除去することができるモニタ回路を提供することを目的とする。
【課題を解決するための手段】
【０００７】
本発明の一態様のモニタ回路は、第１の周波数帯のノイズレベルが低い高周波信号と、第１の周波数帯と異なる周波数帯である第２の周波数帯のノイズレベルが高い高周波信号とを、増幅する増幅器に設けられている。増幅器は、第１の周波数帯の高周波信号を増幅する増幅段と、第２の周波数帯の高周波信号を増幅する増幅段とを、個別に設け、これら増幅段の出力信号を合成するものとすることもできるし、第１及び第２の周波数帯の高周波信号を全て増幅する広帯域の増幅器とすることもできる。第１及び第２の周波数帯の高周波信号が供給される分岐手段が設けられている。この分岐手段は、増幅器の出力側に設けることもできるし、増幅器の入力側に設けることもできるし、増幅器が複数段の増幅段から構成される場合、その中間段に設けることもできる。第２の周波数帯の高周波信号を除去する周波数特性を有するフィルタと、モニタ端子とが設けられている。前記フィルタを通過した前記分岐手段の分岐信号を前記モニタ端子に供給する第１の状態と、前記分岐手段の分岐信号をそのまま前記モニタ端子に供給する第２の状態とのうち、選択された状態に切換手段が切換える。
【０００８】
このように構成されたモニタ回路では、第１の周波数帯の高周波信号を測定する場合には、切換手段を第１の状態に切換える。これによって、第２の周波数帯の高周波信号が除去されて、第１の周波数帯の高周波信号のみがモニタ端子に供給される。従って、第１の周波数帯の高周波信号を測定する際に、第２の周波数帯の高周波信号の影響を受けることはない。また、第２の周波数帯の高周波信号を測定する際には、切換手段を第２の状態に切換える。これによって、第１及び第２の周波数帯の高周波信号が共にモニタ端子を介して測定器に供給されるが、第１の周波数帯の高周波信号は、ノイズレベルが小さいので、これが測定器に供給されても、第２の周波数帯の高周波信号の測定に影響を与えることはない。
【０００９】
フィルタの出力側を前記モニタ端子に接続し、前記切換手段は、前記分岐手段の分岐信号を第１の状態において前記フィルタに供給し、第２の状態において前記モニタ端子に供給するように構成することもできる。例えば、フィルタの入力側に分岐信号を供給し、第１の状態では、フィルタの出力信号を切換手段がモニタ端子に供給し、第２の状態では、分岐信号をモニタ端子に供給するように構成することも可能であるが、この場合、第１の状態において、分岐器の分岐端子から切換手段までに形成される伝送路から第２の周波数帯の高周波信号が漏洩する可能性がある。これに対し、上述したように、前記切換手段が前記分岐手段の分岐信号を第１の状態において前記フィルタに供給するようにすれば、分岐手段の分岐端子からモニタ端子への伝送路には第１及び第２の高周波信号は流れず、漏洩することはなく、測定に第２の高周波信号が影響を与えることはない。
【００１０】
第１の周波数帯の高周波信号がＵＨＦ帯及びＶＨＦ帯のテレビジョン放送信号のうち少なくとも一方であり、第２の周波数帯の高周波信号が衛星放送及び衛星通信信号の中間周波信号の少なくとも一方とすることもできる。他の複数の周波数帯の高周波信号においても、ノイズレベルの相違があることはあるが、ＵＨＦ帯及びＶＨＦ帯のテレビジョン放送信号のうち少なくとも一方と、衛星放送及び衛星通信信号の中間周波信号の少なくとも一方との場合に、ＵＨＦ帯及びＶＨＦ帯のテレビジョン放送信号のうち少なくとも一方を測定している際に、衛星放送及び衛星通信信号の中間周波信号の少なくとも一方の影響を受けやすいので、この発明の効果が顕著になる。
【００１１】
更に、フィルタが、第１の周波数帯が通過帯域にあり、第２の周波数帯が遮断帯域にあるローパスフィルタとすることもできる。例えば第２の周波数帯を除去するバンド除去フィルタを使用することも可能であるが、ローパスフィルタの方がバンドパスフィルタよりも構成が簡単であり、またコストも低くすることができる。
【発明の効果】
【００１２】
以上のように、本発明によれば、複数の異なる周波数帯の高周波信号のうち、一つの周波数帯の高周波信号を測定する際に、他の周波数帯の高周波信号の影響を除去することができる。
【発明を実施するための最良の形態】
【００１３】
本発明の１実施形態のモニタ回路は、図１に示すように共同受信システムの伝送路中に介在する中継増幅器に実施されている。この中継増幅器は、第１の周波数帯、例えばＵＨＦ帯及びＶＨＦ帯のテレビジョン放送信号と、第２の周波数帯、例えば１ＧＨｚ帯の衛星放送及び衛星通信中間周波信号とを増幅するものである。ＵＨＦ帯及びＶＨＦ帯のテレビジョン放送信号は、共同受信システムのヘッドエンドにおいてＵＨＦ帯及びＶＨＦ帯の受信用アンテナによって受信されて、共同受信システムの伝送路に伝送されている。衛星放送及び衛星通信中間周波信号は、ヘッドエンドにおいて衛星放送及び衛星通信受信アンテナで受信された衛星放送及び衛星通信信号を、衛星放送及び衛星通信受信アンテナに付属するコンバータで周波数変換されて生成され、共同受信システムの伝送路に伝送されている。
【００１４】
ＵＨＦ帯及びＶＨＦ帯のテレビジョン放送信号が、この中継増幅器の入力端子２に供給され、衛星放送及び衛星通信中間周波信号が、この中継増幅器の入力端子４に供給される場合がある。また、ＵＨＦ帯及びＶＨＦ帯のテレビジョン放送信号と衛星放送及び衛星通信中間周波信号との混合信号が、入力端子４に供給される場合もある。ＵＨＦ帯及びＶＨＦ帯のテレビジョン放送信号が入力端子２に供給される場合、ＵＨＦ帯及びＶＨＦ帯のテレビジョン放送信号は、入力切換回路６を介して分波器８に供給され、ＵＨＦ帯テレビジョン放送信号とＶＨＦ帯テレビジョン放送信号とに分波される。また、混合信号が入力端子４に供給される場合、混合信号は、分波器７においてＵＨＦ帯及びＶＨＦ帯テレビジョン放送信号と衛星放送及び衛星通信中間周波信号とに分波され、分波されたＵＨＦ帯及びＶＨＦ帯テレビジョン放送信号が入力切換回路６を介して分波器８に供給される。分波器８で、ＵＨＦ帯テレビジョン放送信号とＶＨＦ帯テレビジョン放送信号とに分波される。
【００１５】
分波されたＵＨＦ帯テレビジョン放送信号は、減衰手段、例えば減衰器１０によって所定量だけ減衰された後に、可変利得増幅器１２において増幅される。この可変利得増幅器１２は、縦続接続された２段の増幅段１２ａ、１２ｂと、それらの間に接続された利得調整手段、例えばゲインコントロール回路１２ｃとから構成されている。このゲインコントロール回路１２ｃには、手動のものを使用することができる。
【００１６】
分波器８で分波されたＶＨＦ帯テレビジョン放送信号は、分波器９においてＶＨＦ帯高域テレビジョン放送信号とＶＨＦ帯低域テレビジョン放送信号とに分波される。
【００１７】
ＶＨＦ帯高域テレビジョン放送信号は、減衰器１４によって所定量だけ減衰された後、可変利得増幅器１６によって増幅される。可変利得増幅器１６も、可変利得増幅器１２と同様に、増幅段１６ａ、１６ｂと、ゲインコントロール回路１６ｃとから構成されている。
【００１８】
ＶＨＦ帯低域テレビジョン放送信号は、ＦＭ切換回路１８を介して減衰器２０に供給されて所定量だけ減衰されて、可変利得増幅器２２に供給され、増幅される。可変利得増幅器２２も、可変利得増幅器１２と同様に、増幅段２２ａ、２２ｂと、ゲインコントロール回路２２ｃとから構成されている。
【００１９】
可変利得増幅器１６、２２で増幅されたＶＨＦ帯高域テレビジョン放送信号とＶＨＦ帯低域テレビジョン放送信号とは、混合器２４で混合され、混合ＶＨＦ帯テレビジョン放送信号とされる。この混合ＶＨＦ帯テレビジョン放送信号と、可変利得増幅器１２で増幅されたＵＨＦ帯テレビジョン放送信号とは、混合器２６で混合され、混合ＵＨＦ帯及びＶＨＦ帯テレビジョン放送信号とされる。
【００２０】
分波器７で分波された衛星放送及び衛星通信中間周波信号は、減衰器２８において所定量減衰された後に、可変利得増幅器３０において増幅される。この可変利得増幅器３０は、可変利得増幅器１２と同様に２段の増幅段３０ａ、３０ｂとゲインコントロール回路３０ｃとを備えた上に、ゲインコントロール回路３０ｃと縦続接続されたチルト回路３０ｄも備えている。
【００２１】
可変利得増幅器３０において増幅された衛星放送及び衛星通信中間周波信号は、混合器３２において、混合器２６からの混合ＵＨＦ帯及びＶＨＦ帯テレビジョン放送信号と混合され、モニタ回路３４に供給される。
【００２２】
モニタ回路３４は、分岐手段、例えば１分岐器３６を含み、その入力側に混合器３２からの衛星放送及び衛星通信中間周波信号とＵＨＦ帯及びＶＨＦ帯テレビジョン放送信号との混合信号が供給されている。１分岐器３６の出力は、出力端子３８に供給されている。
【００２３】
１分岐器３６の分岐出力は、切換手段、例えば切換スイッチ３９の接点３９ｅに供給されている。切換スイッチ３９の接触子３９ａ、３９ｂは、フィルタ、例えばローパスフィルタ４０に接続され、切換スイッチ３９の接点３９ｆがモニタ端子４２に接続されている。ローパスフィルタ４０は、ＵＨＦ帯及びＶＨＦ帯テレビジョン放送信号を通過させ、かつ衛星放送及び衛星通信中間周波信号を遮断するように、その遮断周波数が選択されている。接触子３９ａ、３９ｂが接触可能な切換スイッチ３９の接点３９ｇ、３９ｈ間は線路４１で短絡されている。従って、接触子３９ａ介して接点３９ｅ、ｃを接続し、接点３９ｂを介して接点３９ｄ、３９ｆを接続した第１の状態では、１分岐器３６の分岐側に生じた衛星放送及び衛星通信中間周波信号とＵＨＦ帯及びＶＨＦ帯テレビジョン放送信号との混合信号から、衛星放送及び衛星通信中間周波信号がローパスフィルタ４０によって遮断されて、ＵＨＦ帯及びＶＨＦ帯テレビジョン放送信号が抽出され、モニタ端子４２に供給される。接触子３９ａを介して接点３９ｅ、３９ｇを接続し、接触子３９ｂを介して接点３９ｄ、３９ｆを接続した第２の状態では、１分岐器３６の分岐側に生じた衛星放送及び衛星通信中間周波信号とＵＨＦ帯及びＶＨＦ帯テレビジョン放送信号との混合信号が、そのままモニタ端子４２に供給される。なお、切換スイッチ３９の接点３９ｇ、３９ｈ間は、切換スイッチ３９の外側に設けた線路４１で短絡したが、切換スイッチ３９内部で直接に短絡してもよい。
【００２４】
一般に、ＵＨＦ帯及びＶＨＦ帯テレビジョン放送信号は、ＵＨＦ帯及びＶＨＦ帯のテレビジョン放送信号は、それが含むノイズレベルが低く、これを測定する測定器も、ノイズレベルが低いことを前提として製作されている。一方、衛星放送及び衛星通信中間周波信号は、それが含むノイズレベルが高く、また総合電力もＵＨＦ帯及びＶＨＦ帯のテレビジョン放送信号よりも大きい。そのため、ＵＨＦ帯及びＶＨＦ帯のテレビジョン放送信号と衛星放送及び衛星通信中間周波信号との混合信号が供給されている状態で、ＵＨＦ帯及びＶＨＦ帯のテレビジョン放送信号を測定するために測定器、例えばレベル測定器を接続すると、測定器が過入力状態となり、ＵＨＦ帯及びＶＨＦ帯のテレビジョン放送信号を正確に測定することができなくなる。
【００２５】
そこで、このモニタ回路３４では、ＵＨＦ帯及びＶＨＦ帯のテレビジョン放送信号のレベル測定を行う場合には、切換スイッチ３９の接触子３９ａを介して接点３９ｅ、３９ｃを接続し、接触子３９ｂを介して接点３９ｄ、３９ｆを接続するように切換えて、衛星放送及び衛星通信中間周波信号を遮断した状態でＵＨＦ帯及びＶＨＦ帯のテレビジョン信号のみモニタ端子４２に供給され、測定器にてレベル測定を行う。また、衛星放送及び衛星通信中間周波信号のレベル測定を行う場合には、切換スイッチ３９の接触子３９ａを介して接点３９ｅ、３９ｇを接続し、接触子３９ｂを介して接点３９ｆ、３９ｈを接続するように切換えて、ＵＨＦ帯及びＶＨＦ帯のテレビジョン放送信号と衛星放送及び衛星通信中間周波信号との混合信号をモニタ端子４２に供給し、測定器にてレベル測定を行う。
【００２６】
図２は、切換スイッチ３９の接触子３９ａを介して接点３９ｅ、３９ｃを接続し、接触子３９ｂを介して接点３９ｄ、３９ｆを接続した状態で、モニタ端子４２で測定した周波数特性図で、図３は、切換スイッチ３９の接触子３９ａを介して接点３９ｅ、３９ｇを接続し、接触子３９ｂを介して接点３９ｆ、３９ｈを接続した状態で、モニタ端子４２で測定した周波数特性図である。両者の比較から明らかなように、ローパスフィルタ４０を使用していない図２では、衛星放送及び衛星通信中間周波信号が存在する約１ＧＨｚから約１．９ＧＨｚの周波数でのレベルが、ＵＨＦ帯及びＶＨＦ帯テレビジョン放送信号が存在する５０ＭＨｚ乃至約８００ＭＨｚでのレベルよりも大きい。そのため、この状態で、測定器をモニタ端子４２に接続して、ＵＨＦ帯及びＶＨＦ帯テレビジョン放送信号のレベルを測定しようとすると、上述したように非入力の状態になる。ところが、ローパスフィルタ４０を通過させた図３の状態では、約１ＧＨｚから約１．９ＧＨｚの周波数でのレベルが大きく減衰され、ＵＨＦ帯及びＶＨＦ帯テレビジョン放送信号のレベルよりも小さくされている。従って、この状態で測定器をモニタ端子４２に接続して、ＵＨＦ帯及びＶＨＦ帯テレビジョン放送信号のレベルを測定しても、過入力の影響を受けることがなく、正常にレベル測定を行うことができる。
【００２７】
なお、出力端子３８には、この中継増幅器の各増幅段１２ａ、１２ｂ、１６ａ、１６ｂ、２２ａ、２２ｂを動作させたり、衛星放送及び衛星通信受信用アンテナのコンバータを動作させたりするための直流電源が供給されることがある。この直流電源は、１分岐器３６（従って、１分岐器３６は通電形である。）、高周波阻止コイル４４、逆流防止ダイオード４６を介して各増幅段１２ａ、１２ｂ、１６ａ、１６ｂ、２２ａ、２２ｂに供給され、更に、開閉スイッチ４８及び高周波阻止コイル５０を介して入力端子４に供給されている。なお、衛星放送及び衛星通信受信用アンテナのコンバータが別の電源によって動作させられる場合には、開閉スイッチ４８は開放される。また、出力端子３８から直流電源が供給されない場合に備えて、商用交流電源を直流化して安定化する定電圧部５２も設けられている。また、入力端子４と分波器７との間には、直流阻止コンデンサ５４が設けられている。
【００２８】
上記の実施の形態では、ローパスフィルタ４０を使用したが、衛星放送及び衛星通信中間周波信号を除去することができるフィルタを使用すればよく、例えば衛星放送及び衛星通信中間周波信号の周波数帯を遮断帯域とする帯域除去フィルタまたは、ＵＨＦ帯及びＶＨＦ帯テレビジョン放送信号を通過帯域とする帯域通過フィルタを使用することもできる。上記の実施の形態では、第１の周波数帯の信号としてＵＨＦ帯及びＶＨＦ帯テレビジョン放送信号を、第２の周波数帯の信号として衛星放送及び衛星通信中間周波信号を使用したが、これに限ったものではなく、例えば第１の周波数帯の信号としてＵＨＦ帯のテレビジョン放送信号を、第２の周波数帯の信号としてＶＨＦ帯のテレビジョン放送信号を使用することもできる。
【図面の簡単な説明】
【００２９】
【図１】本発明の１実施形態のモニタ回路を備えた中継増幅器のブロック図である。
【図２】図１の中継増幅器において切換スイッチ３９の接触子３９ａ、３９ｂを第２の状態に切換えて、モニタ端子４２で測定した周波数特性図である。
【図３】図１の中継増幅器において切換スイッチ３９の接触子３９ａ、３９ｂを第１の状態に切換えて、モニタ端子４２で測定した周波数特性図である。
【符号の説明】
【００３０】
３４  モニタ回路
３６  １分岐器（分岐手段）
３９  切換スイッチ（切換手段）
４０  ローパスフィルタ（フィルタ）
【図１】
2007195123.tif 000003
【図２】
2007195123.tif 000004
【図３】
2007195123.tif 000005